(57)【要約】【課題】  ステーを抜き出すためにトリムカバーの底面に用いるカバー生地の数を少なくしてカバー生地によるトリムカバーの底面の作製を簡単に行い、ヘッドレストを簡単に製造する。【解決手段】  ヘッドレスト１はヘッドレストフレームを埋設するパッドの全体がトリムカバー４に覆われ、ヘッドレストフレームに連結されるステー３がトリムカバー４の底面から抜き出される。ステー３が抜き出されるトリムカバー４の底面が１枚のカバー生地５からなり、このカバー生地５の一部が前記パッドの内部で重なり合うように内方に折り曲げられて縫い付けられ、ステー３をトリムカバー４の底面から外側に抜き出す外側開口部８が前記重ね合わせ部分に形成され、外側開口部８に連通してステー３を重ね合わせ部分の内部に導入する内側開口部９が形成されている。【選択図】  図１
2007301081.tif 000002
【特許請求の範囲】
【請求項１】
ヘッドレストフレームを埋設するパッドの全体がトリムカバーに覆われ、前記ヘッドレストフレームに連結されるステーがトリムカバーの底面から抜き出されるヘッドレストにおいて、
前記ステーが抜き出されるトリムカバーの底面が１枚のカバー生地からなり、このカバー生地の一部が前記パッドの内部で重なり合うように内方に折り曲げられて縫い付けられ、ステーをトリムカバーの底面から外側に抜き出す外側開口部が前記重ね合わせ部分に形成され、前記外側開口部に連通してステーを重ね合わせ部分の内部に導入する内側開口部が形成されていることを特徴とするヘッドレスト。
【請求項２】
前記内側開口部は、スリット又は前記ステーの外径と略同じ径の孔であることを特徴とする請求項１記載のヘッドレスト。
【発明の詳細な説明】
【技術分野】
【０００１】
本発明は、車両等ののシートバックの上部に装着されるヘッドレストに関し、特に、製造が容易な構造となっているヘッドレストに関する。
【背景技術】
【０００２】
車両用のヘッドレストは発泡ウレタン等の発泡体からなるパッドがヘッドレストフレームを埋設し、このパッドをトリムカバーが覆っていると共に、シートバックに取り付けられるステーがトリムカバーの底面から抜き出た構造が一般的となっている。この場合、ヘッドレストはシートバックに対して前後方向に回動自在となっていることが使用時の前後位置を調整できる点で良好である。又、パッドの発泡時においては、トリムカバーの底面から抜き出ているステーの抜き出し部分から発泡体が漏出しないことが要求される。以上の要求に応じた従来のヘッドレストとしては、特許文献１及び２に開示されている。
【０００３】
図３及び図４は、特許文献１に開示されたヘッドレスト１００を示す。このヘッドレスト１００では、図３に示すように、所定形状に裁断された複数のカバー生地１１，１１２，１１３，１１４，１１５，１１６，１１７を縫い合わせて袋状のトリムカバー１２０を形成しており、このトリムカバー１２０の内部にヘッドレスフレーム１３０（図４参照）及び発泡体からなるパッド（図示省略）が設けられる。具体的には、パッドがヘッドレストフレーム１３０を埋設するように覆っており、このパッドの全体をトリムカバー１２０が覆っている。
【０００４】
ヘッドレストフレーム１３０には、図４に示すように左右２本のステー１３１及び１３２が連結されている。ステー１３１，１３２はヘッドレスト１００の底面から外部に抜け出ており、このステー１３１，１３２がシートバック（図示省略）に支持される。ステー１３１，１３２に対しては、ヘッドレストフレーム１３０が回動可能となっており、これにより図３の矢印Ｘで示すように、ヘッドレスト１００の全体が前後調整可能となるものである。
【０００５】
２本のステー３１，３２をヘッドレスト１００の底面から抜き出し、且つ発泡体の発泡時における発泡体のトリムカバー１２０からの漏出を防止するため、トリムカバー１２０の底面には３枚のカバー生地１１０，１１１，１１２が用いられる。すなわち、カバー生地１１０とカバー生地１１１の端部及びカバー生地１１１とカバー生地１１２の端部を図４に示すように、内方に直角状に折曲して重ね合わせ、この重ね合わせ部分を縫糸１３５によって縫い合わせるものである。
【０００６】
縫糸１３５による縫い合わせは、カバー生地の重ね合わせ部分を略コ字形に縫い合わせることにより、ステー１３１，１３２が抜き出るステー挿通孔１４０を形成するものである。なお、ステー１３１，１３２が挿通しない部分に対しても、カバー生地を内方に直角状に折曲して重ね合わせて縫い合わせることが行われる。図４における符号１１４ｂ及び１１１ｂは、この重ね合わせ部分を示している。
【０００７】
このような縫い合わせにより、ステー挿通孔１４０を除く部分が全て縫い合わされてトリムカバー１２０が袋状に形成され、その内部に発泡体原料が注入されて発泡されることにより所定形状のパッドが形成される。かかる発泡時においては、カバー生地を引っ張ることにより、ステー挿通孔１４０が閉鎖されるため、発泡体が外部に漏出することがなくなる。
【０００８】
図示を省略するが、特許文献２においても、図３及び図４と同様に３枚のカバー生地を用い、３枚のカバー生地の内方への折曲及び縫い合わせによってトリムカバーの底面を形成している。これに加えて、特許文献２においては、カバー生地のステー挿通孔１４０における折曲部分をさらに反対側に折り返す工程を付加しており、この折り返し部分にステーを挿通させている。従って、特許文献２では、ステーが２箇所でカバー生地の重ね合わせ部分を挿通するため、発泡体の漏出をさらに確実に防止するようになっている。
【特許文献１】特開平９−１５０４２２号公報
【特許文献２】特開２００２−１６５６７０号公報
【発明の開示】
【発明が解決しようとする課題】
【０００９】
しかしながら、従来のヘッドレストでは、いずれも２本のステー１３１，１３２をトリムカバー１２０の底面から抜き出すために、３枚のカバー生地１１０，１１１，１１２をトリムカバー１２０の底面に用いている。このため、トリムカバー１２０の底面におけるカバー生地のパーツ数が多くなっている。しかも、カバー生地を折曲する際に、カバー生地の折曲部分が相互に重ね合うように調整する必要があるため、調整が面倒であり、ヘッドレストの製造が複雑で面倒であるという問題を有している。
【００１０】
本発明は、このような従来の問題点を考慮してなされたものであり、ステーを抜き出すためにトリムカバーの底面に用いるカバー生地の数を少なくしてカバー生地によるトリムカバーの底面の作製を簡単に行うことができ、これにより簡単に製造することが可能なヘッドレストを提供することを目的とする。
【課題を解決するための手段】
【００１１】
上記目的を達成するため、請求項１記載の発明は、ヘッドレストフレームを埋設するパッドの全体がトリムカバーに覆われ、前記ヘッドレストフレームに連結されるステーがトリムカバーの底面から抜き出されるヘッドレストにおいて、前記ステーが抜き出されるトリムカバーの底面が１枚のカバー生地からなり、このカバー生地の一部が前記パッドの内部で重なり合うように内方に折り曲げられて縫い付けられ、ステーをトリムカバーの底面から外側に抜き出す外側開口部が前記重ね合わせ部分に形成され、前記外側開口部に連通してステーを重ね合わせ部分の内部に導入する内側開口部が形成されていることを特徴とする。
【００１２】
請求項２記載の発明は、請求項１記載のヘッドレストであって、前記内側開口部は、スリット又は前記ステーの外径と略同じ径の孔であることを特徴とする。
【発明の効果】
【００１３】
本発明によれば、ステーが抜き出されるトリムカバーの底面を１枚のカバー生地によって形成し、この１枚のカバー生地の一部を内方に折り曲げ、重ね合わせて縫い付ける。この縫い付けの際に、カバー生地の重ね合わせ部分に外側開口部を形成すると共に、ステーを重ね合わせ部分の内部に導入する内側開口部を外側開口部に連通するように形成するため、袋状のトリムカバーの内部に発泡体原料を注入して発泡しても、発泡体がバイブに漏出することを防止することができる。
【００１４】
このような本発明では、トリムカバーの底面を１枚のカバー生地によって形成するため、３枚のカバー生地に比べてパーツ数が少なくなるばかりでなく、３枚のカバー生地の重ね合わせのための調整が不要となる。これにより、ヘッドレストを簡単に製造することができる。
【発明を実施するための最良の形態】
【００１５】
図１は、本発明の一実施形態のヘッドレスト１を示す部分斜視図である。同図において、符号２はヘッドレストフレームであり、その左右には２本のステー３（なお、一方のステーは図示を省略してある。）が連結されている。２本のステー３はシートバックフレーム（図示省略）に支持されるものであり、シートバックフレームにステー３が支持されることによりヘッドレスト１がシートバックフレームに取り付けられる。
【００１６】
ヘッドレストフレーム２の内部には、ステー３に対して回動可能となった回動機構（図示省略）が内部に配置されており、ヘッドレストフレーム２の回動によりヘッドレスト１の全体がシートの前後方向（矢印Ｘ方向）に向かって調整可能となっている。なお、２本のステー３は略コ字形に形成され、その基端部分がヘッドレストフレーム２に連結される一方、先端部分がトリムカバー４から抜き出され、この抜き出し部分がシートバックに支持される。
【００１７】
トリムカバー４は、袋状に縫い合わされてヘッドレストフレーム２及びステー３の基端部を覆うものであり、この覆い状態でトリムカバー４の内部に発泡体原料が注入されて発泡されることにより、ヘッドレストフレーム２が埋設されるパッド（図示省略）が形成される。かかる発泡体原料の発泡は、例えば、特開平１１−２４４０９号公報に記載されている発泡型、その他の発泡型を用いることができる。
【００１８】
トリムカバー４は、ヘッドレスト１の前面部分を覆うカバー生地、背面部分を覆うカバー生地及び底面部分を覆うカバー生地５を有している。図１における符号６は、例えばヘッドレスト１の背面部分を覆うカバー生地である。これらのカバー生地は、織物等からなる表皮材と表皮材の裏側に接合されたウレタン等の発泡材のスラブ材からなるワディングと、ワディングの裏側に接合された不織布等からなるワディングカバーの積層体により構成することができる。
【００１９】
この実施形態において、トリムカバー４の底面を形成するカバー生地５は１枚のカバー生地により構成されるものである。すなわち、カバー生地５はヘッドレスト１の横方向の長さを有し、これよりもさらに横方向に長くなるように裁断された生地が用いられる。
【００２０】
２本のステー３は、トリムカバー４の底面を構成する１枚のカバー生地５から抜き出されるものであり、この抜き出しのための加工がカバー生地５に対して行われる。すなわち、カバー生地５におけるステー３との対応部分に対して内方に折り曲げを行うと共に、この折り曲げ部分を相互に重ね合わせる。符号５ａ，５ｂはカバー生地５における折り曲げ部分を示す。これらの折り曲げ部分５ａ，５ｂは、相互に重ね合わせられた状態で縫糸７により縫い付けられる。
【００２１】
縫糸７はヘッドレスト１の前後方向（矢印Ｘ方向）に沿って折り曲げ部分５ａ，５ｂを縫い付けるものであり、縫糸７はカバー生地５の幅方向の両端部から中央部分に向かって、或いは中央部分から幅方向の両端部に向かって縫い付けが行われる。この縫糸７による縫い付けは、カバー生地５の幅方向の略中央部分では行われることがなく、カバー生地５の略中央部分には、縫い付けがなされることがない外側開口部８が形成される。かかるカバー生地５の外側開口部８に対し、ステー３が挿通し、この挿通によってステー３の先端部分がトリムカバー４の外側に抜き出される。
【００２２】
さらに、カバー生地５の折り曲げ部分５ａ，５ｂにおけるヘッドレストフレーム２側の折り曲げ部分（この実施形態では折り曲げ部分５ｂ）に対してカッター等によってスリットが形成されている。この実施形態において、スリットは折り曲げ部分５ｂにおける前後方向（矢印Ｍ方向）に沿って形成されており、ステー３が挿通可能な内側開口部９となっている。この内側開口部９は、折り曲げ部分５ｂの下部に形成されており、ヘッドレストフレーム２から延びるステー３が挿入され、この挿入によりステー３は、カバー生地５における重なり合っている折り曲げ部分５ａ，５ｂの間に導入される。導入されたステー３は、上述した外側開口部８からトリムカバー４の外側に抜き出される。
【００２３】
なお、トリムカバー４の底面を形成するカバー生地５の幅方向の左右両端部は内方に屈曲され、その外側で隣接している他のカバー生地（例えば、カバー生地６）の屈曲部分と突き合わされて縫い付けられる。これらの縫い付けによりトリムカバー４の全体が袋状に形成される。
【００２４】
この実施形態において、図１の状態に対し袋状のトリムカバー４内にウレタン等の発泡体原料が注入されて発泡されることにより所定形状のパッドが形成される。この発泡時においては、カバー生地５を引っ張ることにより、少なくとも外側開口部８或いは外側開口部８及び内側開口部９の双方が閉鎖されるため、発泡体が外部に漏出することがなく、外観の良好なヘッドレスト１を製造することができる。
【００２５】
このような実施形態では、トリムカバー５の底面を１枚のカバー生地５によって形成するため、３枚のカバー生地に比べてパーツ数が少なくなるばかりでなく、複数（３枚）のカバー生地における折曲部分の重ね合わせのための調整が不要となる。従って、ヘッドレスト２を簡単に製造することができる。
【００２６】
図２は本発明の別の実施形態を示し、図１に示す実施形態と同一の部材には同一の符号を付して対応させてある。
【００２７】
この実施形態においては、トリムカバー４の底面を形成するカバー生地５における内方への折り曲げ部分のうち、ヘッドレストフレーム２側の折り曲げ部分５ｂに対し導入孔１２が開口されている。導入孔１２は、ステー３の外径と略同じ径となるように形成される。この導入孔１２は上述した実施形態１と同様に、内側開口部を形成するものであり、この導入孔１２からステー３が重ね合わされている状態の折り曲げ部分５ａ，５ｂの間に導入され、その後、外側開口部８からトリムカバー４の外部に抜き出される。
【００２８】
図２に示す実施形態においても、トリムカバー４の底面が１枚のカバー生地５によって形成されるため、図１の実施形態と同様に作用することができ、ヘッドレスト１を簡単に製造することが可能となる。
【００２９】
本発明は以上の実施形態に限定されることなく、種々変形が可能である。例えば、ヘッドレストフレームをステーに対して回動自在とすることなく、固定的にステーと連結しても良い。
【図面の簡単な説明】
【００３０】
【図１】本発明の一実施形態を示す部分斜視図である。
【図２】本発明の別の実施形態を示す部分斜視図である。
【図３】従来のヘッドレストを示す反転状態の斜視図である。
【図４】従来のヘッドレストにおける部分斜視図である。
【符号の説明】
【００３１】
１  ヘッドレスト
２  ヘッドレストフレーム
３  ステー
４  トリムカバー
５  カバー生地
５ａ，５ｂ  折り曲げ部分
７  縫糸
８  外側開口部
９  内側開口部
１２  導入孔（内側開口部）
【図１】
2007301081.tif 000003
【図２】
2007301081.tif 000004
【図３】
2007301081.tif 000005
【図４】
2007301081.tif 000006